【手続補正書】
【提出日】平成22年11月30日(2010.11.30)
【手続補正１】
【補正対象書類名】特許請求の範囲
【補正対象項目名】全文
【補正方法】変更
【補正の内容】
【特許請求の範囲】
【請求項１】
入力された画像信号に基づく画像を互いに所定量ずらして重ね合わせてスクリーンに投影する複数台のプロジェクタ装置と、
前記スクリーンに投影された複数の投影画像からなる画像領域の輝度を観測する観測装置と、
前記観測装置の観測結果に基づいて、前記プロジェクタ装置毎に投影する画像を構成する各画素の輝度値を調整した前記画像信号を、前記複数のプロジェクタ装置に供給する制御装置と、を含み、
前記複数の投影画像からなる画像領域は、第１の投影画像と、前記第１の投影画像より高い解像度である第２の投影画像が重ね合わされて提示され、
前記画像領域の所定の画素は、隣り合うｎ（ｎは、２以上の整数）台の前記プロジェクタ装置からの投影画像の対応する画素によって重ね合わされる
画像投影システム。
【請求項２】
請求項１に記載の画像投影システムにおいて、
前記観測装置は、
前記スクリーン上の前記画像領域を構成する画素の投影位置を観測する投影位置観測部と、
前記投影位置観測部によって観測された前記画像領域の各画素の投影位置より、前記プロジェクタ装置毎に前記投影画像を構成する画素の位置を位置情報として算出する位置情報算出部と、
前記スクリーン上の画像領域の輝度を観測する輝度観測部と、
前記輝度観測部によって観測された前記画像領域の輝度と前記位置情報より、前記スクリーン上の前記画像領域の各画素の輝度を輝度情報として算出する輝度情報算出部と、
入力された前記第１の投影画像の画像信号に基づく画像を、所定の領域に分割するブロック分割部と、
前記位置情報に基づいて、前記ブロック分割部によって分割された前記画像領域のうち、最小値の輝度を、最小値輝度情報として算出する最小値輝度算出部と、
前記位置情報に基づいて、前記ブロック分割部によって分割された前記画像領域の輝度と前記最小値輝度情報に基づく輝度の差を、差分値輝度情報として算出する差分値輝度算出部と、
前記画像領域の前記最小値輝度情報と前記差分値輝度情報に対する各プロジェクタ装置の投影画像の輝度の配分を輝度補正係数として決定する輝度補正係数算出部と、
前記輝度補正係数算出部によって算出された前記輝度補正係数と前記最小値輝度情報と前記差分値輝度情報とに基づき各プロジェクタ装置の投影画像の目標投影輝度を決定し、決定した目標投影輝度、前記位置情報および前記最小値輝度情報と前記差分値輝度情報に基づいて、前記プロジェクタ装置毎に投影する画像の各画素の画素値を算出する画素値算出部と、
前記画素値算出部によって算出された画素値に基づいて画像信号を生成し、各プロジェクタ装置に供給する信号供給部と、を含む
画像投影システム。
【請求項３】
請求項２に記載の画像投影システムにおいて、
前記プロジェクタ装置は、
前記スクリーンの対応する領域に投影する画像のうち、所定の領域と、他の領域とで、画像の拡大率が異なる画像拡大部と、を含む
画像投影システム。
【請求項４】
請求項２に記載の画像投影システムにおいて、
前記制御装置は、
前記プロジェクタ装置は、ｍ台であって、前記ｍ台のプロジェクタ装置のうち、ｋ台（ｋは１以上の整数）のプロジェクタ装置に前記差分値輝度情報に基づいて決定された画像信号を供給し、前記ｋ台のプロジェクタ装置とは異なる（ｍ−ｋ）台のプロジェクタ装置に、前記最小値輝度情報に基づいて決定された画像信号を供給する
画像投影システム。
【請求項５】
請求項２に記載の画像投影システムにおいて、
前記スクリーン上の画像領域の任意の画素について、当該画素に投影する前記プロジェクタ装置毎の画像の輝度の配分を、前記輝度補正係数に基づいて変更する
画像投影システム。
【請求項６】
請求項１に記載の画像投影システムにおいて、
前記観測装置は、
前記スクリーン上の前記画像領域を構成する画素の投影位置を観測する投影位置観測部と、
前記投影位置観測部によって観測された前記画像領域の各画素の投影位置より、前記プロジェクタ装置毎に前記投影画像を構成する画素の位置を位置情報として算出する位置情報算出部と、
前記スクリーン上の画像領域の輝度を観測する輝度観測部と、
前記輝度観測部によって観測された前記画像領域の輝度と前記位置情報より、前記スクリーン上の前記画像領域の各画素の輝度を輝度情報として算出する輝度情報算出部と、
Ｒ画像とＧ画像とＢ画像とで構成される入力された前記第１の投影画像の画像信号に基づく画像を、所定の領域に分割するブロック分割部と、
前記位置情報に基づいて、前記ブロック分割部によって分割された前記画像領域のうち、前記Ｒ画像とＢ画像の輝度をＲＢ輝度情報として算出するＲＢ輝度算出部と、
前記位置情報に基づいて、前記ブロック分割部によって分割された分割画像領域のうち、前記Ｇ画像の輝度をＧ輝度情報として算出するＧ輝度算出部と、
前記画像領域の前記ＲＢ輝度情報と前記Ｇ輝度情報に対する各プロジェクタ装置の投影画像の輝度の配分を輝度補正係数として決定する輝度補正係数算出部と、
前記輝度補正係数算出部によって算出された前記輝度補正係数と前記ＲＢ輝度情報と前記Ｇ輝度情報とに基づき各プロジェクタ装置の投影画像の目標投影輝度を決定し、決定した目標投影輝度、前記位置情報および前記輝度情報に基づいて、前記プロジェクタ装置毎に投影する画像の各画素の画素値を算出する画素値算出部と、
前記画素値算出部によって算出された画素値に基づいて画像信号を生成し、各プロジェクタ装置に供給する信号供給部と、を含む
画像投影システム。
【請求項７】
請求項６に記載の画像投影システムにおいて、
前記ＲＢ輝度情報に基づいて決定された画像信号は、前記入力された画像信号に基づく画像の周波数帯域より下げてある
画像投影システム。
【請求項８】
請求項７に記載の画像投影システムにおいて、
前記制御装置は、
前記プロジェクタ装置は、ｍ台であって、前記ｍ台のプロジェクタ装置のうち、ｋ台（ｋは１以上の整数）のプロジェクタ装置に前記ＲＢ輝度情報に基づいて決定された画像信号を供給し、前記ｋ台のプロジェクタ装置とは異なる（ｍ−ｋ）台のプロジェクタ装置に、前記Ｇ輝度情報に基づいて決定された画像信号を供給する
画像投影システム。
【請求項９】
請求項７に記載の画像投影システムにおいて、
前記プロジェクタ装置は、
前記スクリーンに投影する画像から分離した前記Ｒ画像及びＧ画像を拡大投射する拡大光学部と、を含む
画像投影システム。
【請求項１０】
複数台のプロジェクタ装置によって、入力された画像信号に基づく画像を互いに所定量ずらして重ね合わせ、スクリーンに投影された複数の投影画像からなる画像領域の輝度を観測する観測装置の観測結果に基づいて、前記プロジェクタ装置毎に投影する画像を構成する各画素の輝度値を調整した前記画像信号を、前記複数のプロジェクタ装置に供給し、
前記複数の投影画像からなる画像領域を、第１の投影画像と、前記第１の投影画像より高い解像度である第２の投影画像を重ね合わせて提示し、
前記画像領域の所定の画素は、隣り合うｎ（ｎは、２以上の整数）台の前記プロジェクタ装置からの投影画像の対応する画素によって重ね合わせる
制御装置。
【請求項１１】
複数台のプロジェクタ装置によって、入力された画像信号に基づく画像を互いに所定量ずらして重ね合わせ、スクリーンに投影し、
前記スクリーンに投影された複数の投影画像からなる画像領域の輝度を観測し、
前記観測装置の観測結果に基づいて、前記プロジェクタ装置毎に投影する画像を構成する各画素の輝度値を調整した前記画像信号を、前記複数のプロジェクタ装置に供給し、
前記複数の投影画像からなる画像領域を、第１の投影画像と、前記第１の投影画像より高い解像度である第２の投影画像を重ね合わせて提示し、
前記画像領域の所定の画素は、隣り合うｎ（ｎは、２以上の整数）台の前記プロジェクタ装置からの投影画像の対応する画素によって重ね合わせる
画像投影方法。
【請求項１２】
複数台のプロジェクタ装置によって、入力された画像信号に基づく画像を互いに所定量ずらして重ね合わせ、スクリーンに投影する処理と、
前記スクリーンに投影された複数の投影画像からなる画像領域の輝度を観測する処理と、
前記観測装置の観測結果に基づいて、前記プロジェクタ装置毎に投影する画像を構成する各画素の輝度値を調整した前記画像信号を、前記複数のプロジェクタ装置に供給する処理と、
前記複数の投影画像からなる画像領域を、第１の投影画像と、前記第１の投影画像より高い解像度である第２の投影画像を重ね合わせて提示する処理と、
前記画像領域の所定の画素は、隣り合うｎ（ｎは、２以上の整数）台の前記プロジェクタ装置からの投影画像の対応する画素によって重ね合わせる処理と、を
コンピュータに実行させるプログラム。
【請求項１３】
請求項１２に記載のプログラムを格納した
記録媒体。
【手続補正２】
【補正対象書類名】明細書
【補正対象項目名】発明の名称
【補正方法】変更
【補正の内容】
【発明の名称】画像投影システム、制御装置、画像投影方法、プログラム及び記録媒体
【手続補正３】
【補正対象書類名】明細書
【補正対象項目名】０００１
【補正方法】変更
【補正の内容】
【０００１】
本発明は、複数のプロジェクタ装置を用いて、スクリーンに画像を投影する場合に適用して好適な画像投影システム、制御装置及び画像投影方法、並びにその処理方法を適用したプログラムとそのプログラムを格納した記録媒体に関する。